(57)【特許請求の範囲】
【請求項１】
裏面に粘着剤が塗布された薄い半円形の合成樹脂製シートに、発熱素子を一体に設けて発熱シートを構成し、その発熱シートを剥離台紙に貼り合わせ、少なくとも前記発熱シートに、その全面が湾曲面に沿って密着されるように放射方向のスリットを切り込み形成したパラボラアンテナの融雪用ヒータ。
【請求項２】
スリットが放射方向に加えて、同心の円弧状にも形成される請求項１に記載したパラボラアンテナの融雪用ヒータ。
【発明の詳細な説明】
【０００１】
【発明の属する利用分野】
本発明は、降雪地域や寒冷地域等において、ＢＳ或はＣＳ放送、通信信号の受信用に使用されるパラボラアンテナの反射面に積った雪を除去する融雪用ヒータに関する。
【０００２】
【従来の技術】
降雪地域や寒冷地域等においては、雪の付着によりアンテナ特性の低下現象を招きやすい。
そのため従来より、アンテナの要所（ラドームを含む）にヒータを付設し、雪を融かして除去する手段が試みられている。
ヒータの付設場所としては、例えば実開昭５８−１０７６０１号公報や、特開平５−１４０４８号公報に記載の如く、パラボラ反射鏡の裏面に設けるといったように、いずれもパラボラ反射面を避けた部位が選択されている。
その原因は、パラボラ反射面にヒータを付設した場合、利得や交差偏波識別能力等の特性を維持するに好適なヒータを確保できなかったと推測される。
【０００３】
【発明が解決しようとする課題】
パラボラアンテナ、特に衛星放送受信用では、反射面を斜め上方に向けて設置されるため、融雪対策が成されていないパラボラアンテナでは、、図６に例示するように、雪Ｓはパラボラ反射鏡８における反射面の下部に最も多く積もり、アンテナの特性を維持する上において最悪の条件となる。
反射鏡の裏面にヒータを付設したものは、反射面に影響を与えることなく、雪を溶かして除去するのには合理的といえるが、反射鏡の裏面から表面に達した伝導熱で雪を溶かすことになるから、効率の悪さは否定できない。
又、従来はコード状ヒータや面発熱体を利用していると共に、パラボラ反射鏡の裏面にはリブが設けられているので、反射鏡の湾曲全面に密着するよう組み付けにくく、各家庭において、既設のアンテナに個人が簡単に装着できるような商品提供が不可能であった。
【０００４】
【課題を解決するための手段】
本発明は、ヒータ付設部を融雪効率の最も高い位置に設定し、性能を低下させることのないパラボラアンテナの融雪用ヒータであって、その構成は、裏面に粘着剤が塗布された薄い半円形の合成樹脂製シートに、発熱素子を一体に設けて発熱シートを構成し、その発熱シートを剥離台紙に貼り合わせ、少なくとも前記発熱シートに、その全面が湾曲面に沿って密着されるように放射方向のスリットを切り込み形成したことにある。
そして前記スリットは、放射方向に加えて、同心の円弧状にも形成できる。
【０００５】
【発明の実施の形態】
本発明に係るパラボラアンテナの融雪用ヒータを図面に基づいて説明する。
図１は融雪用ヒータの一例を示したもので、１は剥離台紙、２は発熱シートであり、発熱シート２は、図２に例示するように、厚さ５０μのＰＥＴ（ポリエチレンテレフタレート）製裏シート２ａと、同じく厚さ５０μのＰＥＴ製表シート２ｂとの間に１５μの厚さで細い帯状のアルミ箔を蛇行状に配置して成る発熱素子３がサンドイッチ状に挟まれており、表面には、塗膜４が施され、表面から発熱素子３のパターンが見えないようになっている（図１では、塗膜を省略して発熱素子３を外面から確認されるように示してある）。
又裏シート２ｂの裏面には粘着剤が塗布され、剥離台紙１に対して剥離可能に貼り合わされている。
前記アルミ箔の発熱素子３の製法は、アルミ箔をエッチング加工により形成される。
【０００６】
前記剥離台紙１及び発熱シート２は略半円形で、放射方向に三本のスリット５，５，５が打ち抜き形成されている。
又、発熱シート２は、発熱素子３の端部から電源供給用の接続端子６が導出され、その先端にプラグ７が取り付けられていると共に、全体が絶縁された構造となっている。
【０００７】
このように形成された融雪ヒータは、発熱シート２を剥離台紙１から剥がし、図３の如く、パラボラ反射鏡８における表面の下半分に貼り着ける。
発熱シート２を貼り着けるに際しては、湾曲面に沿うように、スリット５，５，５の切り込み側端部を開き気味にして全面を密着させる。
貼り終ったらプラグ７を電源ソケット９に嵌め込み、給電線と電気的に接続する。
【０００８】
発熱シートが貼り着けられたパラボラアンテナは、降雪時、電源をＯＮすることで発熱素子が高温となり、反射面に積った雪を素早く溶かして除去する。
貼り付けの対象となるパラボラ反射鏡８は、合成樹脂製で、図４に示すように、反射面の内側には格子状の金網から成る反射体１０が埋設されており、一方、発熱シート２は厚さが極めて薄く、而もその発熱シート２が反射面に密着されるので、反射鏡内の反射体１０と発熱素子３との間隔が６０〜８０μ足らずしかなく、電波の乱反射を誘発することなく、利得や交差偏波識別度への影響は殆ど無い。
而も雪は発熱シートと直に接触するから、熱効率が良く、エネルギーロスが少ないし、パラボラ反射鏡のデザインを損ねることがない。
【０００９】
実施例の発熱シートは半円形で、放射方向にスリットを有しているから、湾曲したパラボラ反射鏡の下半分にしわを作ることなく、全面にわたって反射面に密着し、反射体に接近して貼り付けることができ、反射鏡面への貼着面は下半分に限定されず、上半分にも貼着して全面を覆うようにしてもかまわない。
又電源供給手段に、同軸ケーブルを利用することもできる。
【００１０】
発熱素子の形成パターンは、花びら状としたり、密な部分と粗の部分とに分けたりするなど適宜変更され、電源のＯＮ，ＯＦＦを外気温度に応じて自動的にコントロールしたり、発熱シートの外周を補助的に固定する手段を設けるなどできる。
【００１１】
発熱素子は、通電によって発熱するものであればアルミ以外、例えば銅等の金属を使用でき、又その形態は、帯状に限らず極細ワイヤの採用も可能である。
表シートを不透明でパラボラ反射鏡と同色の材質とすれば、塗装を不要とすることができ、塗装は耐候性に富んだ材質が望まれ、シートの材質は、ＰＥＴ以外の合成樹脂も利用できる。
又、実施例では、発熱素子の形成方法としてエッチング加工を利用してが、金属系の導電塗料で印刷形成することもできる。
【００１２】
尚、発熱シートはできるだけ反射面に密着させることが必要であるから、図５に例示するように放射方向のスリット５，５，５に加え、同心の円弧状スリット１１，１１・・を設け、そのスリット１１，１１・・部分で湾曲面とのズレを吸収するようにして、湾曲面にフィットさせやすいようにもできる。
【００１３】
【発明の効果】
発熱シートを剥離台紙から剥して反射面に貼り着け、電源を接続するだけで装着完了となるから、誰にでも簡単に取り付けができ、又、極薄のシートタイプとしたことにより、反射面に設けても乱反射は殆ど確認されず、融雪効果は抜群といえる。
【図面の簡単な説明】
【図１】  本発明に係る融雪ヒータの実施例を示す説明図である。
【図２】  図１におけるＡ−Ａ線の部分断面説明図である。
【図３】  発熱シートが貼着されたパラボラ反射鏡の説明図である。
【図４】  図３におけるＢ−Ｂ線の部分断面説明図である。
【図５】  変更例の説明図である。
【図６】  雪害未対策のパラボラアンテナを示す説明図である。
【符号の説明】
１・・剥離台紙、２・・発熱シート、３・・発熱素子、４・・塗膜、５・・スリット、６・・接続端子、７・・プラグ、８・・パラボラ反射鏡、９・・電源ソケット、１０・・反射体、１１・・スリット、Ｓ・・雪。
【図１】
0003641023.tif 000002
【図２】
0003641023.tif 000003
【図３】
0003641023.tif 000004
【図４】
0003641023.tif 000005
【図５】
0003641023.tif 000006
【図６】
0003641023.tif 000007